(57)【要約】【課題】様々な形状のスピーカを設置できる汎用性を有し、機械的共振による音質の低下が小さくデザイン性にも優れたスピーカ台を提供する。【解決手段】上面にスピーカが設置される天板１２と、天板１２を下方から支持する支持構造体１４を備える。支持構造体１４は、第一及び第二の支持板１６，１８で構成される。第一の支持板１６は、左右一対の第一天板受け部１６ａと、中央部を下端から上向きに切り込んだ第一スリット１６ｃを備える。第二の支持板１８は、左右一対の第二天板受け部１８ａと、中央部を上端から下向きに切り込んだ第二スリット１８ｃを備える。第一及び第二の支持板１６，１８は、第一及び第二スリット１６ｃ，１８ｃが着脱可能に係合し、第一及び第二天板受け部１６ａ，１８ａを上側にして互いに交差した状態で自立する。天板１２は、周縁部が第一及び第二天板受け部１６ａ，１８ａによって着脱可能に支持される。【選択図】図１
0003209821.tif 000002
【実用新案登録請求の範囲】
【請求項１】
上面にスピーカが設置される天板と、
前記天板を下方から支持する支持構造体とを備え、
前記支持構造体は、第一の支持板と第二の支持板とで構成され、
前記第一の支持板には、左右一対に配置された第一天板受け部と、中央部を下端から上向きに切り込んだ第一スリットとが設けられ、
前記第二の支持板には、左右一対に配置された第二天板受け部と、中央部を上端から下向きに切り込んだ第二スリットとが設けられ、
前記第一及び第二の支持板は、前記第一及び第二スリットが着脱可能に係合し、前記第一及び第二天板受け部を上側にして互いに交差した状態で自立し、
前記天板は、周縁部が前記第一及び第二天板受け部によって着脱可能に支持されていることを特徴とするスピーカ台。
【請求項２】
前記天板の周縁部には、前記第一天板受け部と係合可能な第一ガイド溝と、前記第二天板受け部と係合可能な第二ガイド溝とが設けられている請求項１記載のスピーカ台。
【請求項３】
前記天板、第一の支持板及び第二の支持板は、アルミニウム又はアルミニウム合金製である請求項１又は２記載のスピーカ台。
【考案の詳細な説明】
【技術分野】
【０００１】
本考案は、スピーカが設置されるスピーカ台に関する。
【背景技術】
【０００２】
従来、例えば特許文献１の図３に開示されているように、上板、支柱及び底板が一体に固定され、上板の上面にスピーカが設置されるスピーカ用スタンド（以下、スピーカ用スタンドＡと称する。）があった。また、特許文献１の図１、図２には、スピーカ用スタンドＡを改良し、上板に設置されたスピーカの上面に重量物を載置して上板に固定する部材が追加されたスピーカ用スタンド（以下、スピーカ用スタンドＢと称する。）が開示されている。
【先行技術文献】
【特許文献】
【０００３】
【特許文献１】実開昭６４−２５２８８号公報
【考案の概要】
【考案が解決しようとする課題】
【０００４】
従来のスピーカ用スタンドＡは、複数の構成部材が一体に固定されて１つの構造物になっており、機械的共振のＱ値が高くなる場合がある。したがって、スピーカの振動がスピーカ用スタンドＡに伝わると、共振周波数に近い振動成分が増幅されたり、スピーカ用スタンドＡの振動と音とが共鳴したりして、音質が低下してしまうおそれがある。
【０００５】
また、スピーカ用スタンドＢは、スピーカ用スタンドＡよりも音質が改善されるが、設置可能なスピーカの形状や大きさが限定されるという問題がある。
【０００６】
本考案は、上記背景技術に鑑みて成されたものであり、様々な形状のスピーカを設置できる汎用性を有し、機械的共振による音質の低下が小さくデザイン性にも優れたスピーカ台を提供することを目的とする。
【課題を解決するための手段】
【０００７】
本考案は、上面にスピーカが設置される天板と、前記天板を下方から支持する支持構造体とを備え、前記支持構造体は、第一の支持板と第二の支持板とで構成され、前記第一の支持板には、左右一対に配置された第一天板受け部と、中央部を下端から上向きに切り込んだ第一スリットとが設けられ、前記第二の支持板には、左右一対に配置された第二天板受け部と、中央部を上端から下向きに切り込んだ第二スリットとが設けられ、前記第一及び第二の支持板は、前記第一及び第二スリットが着脱可能に係合し、前記第一及び第二天板受け部を上側にして互いに交差した状態で自立し、前記天板は、周縁部が前記第一及び第二天板受け部によって着脱可能に支持されているスピーカ台である。
【０００８】
前記天板の周縁部には、前記第一天板受け部と係合可能な第一ガイド溝と、前記第二天板受け部と係合可能な第二ガイド溝とが設けられていることが好ましい。また、前記天板、第一の支持板及び第二の支持板は、アルミニウム又はアルミニウム合金製であることが好ましい。
【考案の効果】
【０００９】
本考案のスピーカ台は、複数の構成部材が一体に固定されておらず、天板、第一の支持板及び第二の支持板が独立して変位できる構造なので、機械的共振の周波数が分散し、機械的共振のＱ値を低くすることができる。したがって、天板にスピーカを設置して使用されたとき、機械的共振による音質の低下が格段に小さく抑えられる。
【００１０】
また、シンプルな構造で組み立てやすく、様々な形状のスピーカを設置できる汎用性を備えている。しかも、デザイン性にも優れているので、部屋のインテリアにもなる。
【図面の簡単な説明】
【００１１】
【図１】本考案のスピーカ台の一実施形態を示す平面図（ａ）、正面図（ｂ）及び底面図（ｃ）である。
【図２】この実施形態のスピーカ台の分解斜視図である。
【図３】この実施形態のスピーカ台のＡ−Ａ断面図（ａ）、Ａ１部の拡大図（ｂ）、Ａ２部の拡大図（ｃ）である。
【図４】この実施形態のスピーカ台のＢ−Ｂ断面図（ａ）、Ｂ１部の拡大図（ｂ）、Ｂ２部の拡大図（ｃ）である。
【考案を実施するための形態】
【００１２】
以下、本考案のスピーカ台の一実施形態について、図面に基づいて説明する。この実施形態のスピーカ台１０は、図１、図２に示すように、上面にスピーカが設置される天板１２と、天板１２を下方から支持する支持構造体１４とを備え、支持構造体１４は、第一及び第二の支持板１６，１８で構成されている。
【００１３】
天板１２は、アルミニウム又はアルミニウム合金製の板であり、外形は略正方形で、中央部に透孔１２ａが開口している。
【００１４】
第一の支持板１６は、アルミニウム又はアルミニウム合金製の板である。図３（ａ）に示すように、外形は略四角形の上辺側の端部を等脚台形状に深く切り欠いたような形状で、左右の上端角部に、天板１２の周縁部を支持するための第一天板受け部１６ａが一対に設けられ、左右の下端角部に、床置きするための第一脚部１６ｂが一対に設けられている。また、２つの第一天板受け部１６ａに挟まれた中央部に、この中央部を下端から上向きに切り込んだ第一スリット１６ｃが設けられている。左右一対に設けられた略三角形の透孔１６ｄは、デザイン性を考慮して形成されたものである。
【００１５】
第二の支持板１８は、第一の支持板１６とほぼ同じものであり、図４（ａ）に示すように、第一の支持板１６の第一天板受け部１６ａ、第一脚部１６ｂ、第一スリット１６ｃ及び透孔１６ｄと同様の第二天板受け部１８ａ、第二脚部１８ｂ、第二スリット１８ｃ及び透孔１８ｄを備えている。ただし、第二の支持板１８の場合、第二スリット１８ｃは、中央部を上端から下向きに切り込んで設けられているという違いがある。
【００１６】
さらに、天板１２は、対角に位置する２つの角部の側端面に第一ガイド溝１２ｂ(1)が一対に設けられ、他の対角に位置する２つの角部の側端面に第二ガイド溝１２ｂ(2)が一対に設けられている。第一ガイド溝１２ｂ(1)は、第一の支持板１６の第一天板受け部１６ａに係合してガイドする部分で、第二ガイド溝１２ｂ(2)は、第二の支持板１８の第二天板受け部１８ａに係合してガイドする部分である。
【００１７】
各部材を組み立てるときは、まず、第一及び第二の支持板１６，１８を用意し、第一及び第二天板受け部１６ａ，１６ｂを上側にして、図２に示す要領で第一及び第二スリット１６ｃ，１８ｃを着脱可能に係合させ、第一及び第二の支持板１６，１８が互いに交差した支持構造体１４を形成する。そして、支持構造体１４を、第一及び第二脚部１６ｂ，１８ｂを床置きすることによって自立させる。
【００１８】
そして天板１２を用意して支持構造体１４の上方に配置し、図３（ｂ）、（ｃ）に示すように、一対の第一ガイド溝１２ｂ(1)の内側に第一天板受け部１６ａを係合させるとともに、図４（ｂ）、（ｃ）に示すように、一対の第二ガイド溝１２ｂ(2)の内側に第二天板受け部１６ａを係合させる。これで、天板１２の周縁部が第一及び第二天板受け部１６ａ，１８ａによって着脱可能に支持され、図１に示す組み立て状態となる。
【００１９】
スピーカ台１０は、複数の構成部材が一体に固定されておらず、天板１２、第一の支持板１６及び第二の支持板１８が独立して変位できる構造なので、機械的共振の周波数が分散し、機械的共振のＱ値を低くすることができる。したがって、天板１２にスピーカを設置して使用されたとき、機械的共振による音質の低下が格段に小さく抑えられる。
【００２０】
また、シンプルな構造で組み立てやすく、様々な形状のスピーカを設置できる汎用性を備えている。しかも、デザイン性にも優れているので、部屋のインテリアにもなる。
【００２１】
なお、本考案は、上記実施形態に限定されるものではない。例えば、上記の天板１２は略正方形であるが、天板の形状は、一対の第一天板受け部と一対の第二天板受け部とで支持できる形状であればよく、例えば、円形、楕円形、多角形等、正方形以外の形状に変更してもよい。また、上記の第一及び第二ガイド溝１２ｂ(1)，１２ｂ(2)は天板１２の側端面に設けてあるが、例えば、天板の下面の一部を掘り込んで設けてもよい。
【００２２】
支持構造体を構成する第一及び第二の支持板は、上記の第一及び第二の支持板１６，１８の形態に限定されない。第一及び第二の支持板１６，１８は、略四角形の上辺側の端部を等脚台形状に深く切り欠いたような形状になっているが、上記の要領で組み立て可能であれば、他の形状に変更することができる。また、第一及び第二の支持板は、デザイン性等を考慮して、互いに異なる外形にしてもよい
各部材の素材は、軽くて加工性がよいアルミニウム又はアルミニウム合金が適しているが、他の素材を使用してもよい。
【符号の説明】
【００２３】
１０  スピーカ台
１２  天板
１２ｂ(1)  第一ガイド溝
１２ｂ(2)  第二ガイド溝
１４  支持構造体
１６  第一の支持板
１６ａ  第一天板受け部
１６ｃ  第一スリット
１８  第二の支持板
１８ａ  第二天板受け部
１８ｃ  第二スリット
【図１】
0003209821.tif 000003
【図２】
0003209821.tif 000004
【図３】
0003209821.tif 000005
【図４】
0003209821.tif 000006